(57)【要約】      （修正有）【課題】複数の用途に使用可能な工具用補助具を提供する。【解決手段】工具用補助具１は、所定方向に延び且つ弾性変形可能な延伸部２と、延伸部の延伸方向の両端に配置され且つそれぞれが工具のグリップに取り外し可能に係合できる二つの係合部３と、を備える。二つの係合部のそれぞれは、グリップの挿通によって該グリップに前記係合部を係合させる少なくとも一つの貫通穴３１を有し、各貫通穴の貫通方向は、同じであり、延伸部は、延伸方向と直交し且つ貫通方向と直交する方向に所定の幅を有すると共に、貫通方向に厚みを有する板状である。【選択図】図１
0003231168.tif 000002
【実用新案登録請求の範囲】
【請求項１】
所定方向に延び且つ弾性変形可能な延伸部と、
前記延伸部の延伸方向の両端に配置され且つそれぞれが工具のグリップに取り外し可能に係合できる二つの係合部と、を備える、工具用補助具。
【請求項２】
前記二つの係合部のそれぞれは、前記グリップの挿通によって該グリップに前記係合部を係合させる少なくとも一つの貫通穴を有し、
各貫通穴の貫通方向は、同じであり、
前記延伸部は、前記延伸方向と直交し且つ前記貫通方向と直交する方向に所定の幅を有すると共に、前記貫通方向に厚みを有する板状である、請求項１に記載の工具用補助具。
【請求項３】
前記二つの係合部のうちの少なくとも一方の係合部は、前記グリップの挿通によって該グリップに前記係合部を係合させる貫通穴を複数有し、
前記複数の貫通穴のそれぞれは、前記延伸部が延びる方向において異なる位置に配置されている、請求項１又は２に記載の工具用補助具。
【請求項４】
前記延伸部は、少なくとも一つの貫通穴を有する、請求項１〜３のいずれか１項に記載の工具用補助具。
【請求項５】
前記延伸部は、表面に、少なくとも一つの凹部及び少なくとも一つの凸部のうちの少なくとも一方を有する、請求項１〜４のいずれか１項に記載の工具用補助具。
【請求項６】
所定方向に延び且つ弾性変形により撓むことが可能な延伸部と、
前記延伸部の延伸方向の両端に配置され且つそれぞれが挟み動作により操作される工具の一対のグリップに取り外し可能に係合できる二つの係合部と、を備える、工具用補助具。
【考案の詳細な説明】
【技術分野】
【０００１】
本考案は、工具のグリップに着脱可能な工具用補助具に関する。
【背景技術】
【０００２】
従来から、工具のグリップに取り付けて該工具の使用等を補助する種々の工具用補助具が知られている。例えば、特許文献１に記載の工具にも用いることができる補助具は、弾性素材によって構成される円筒状の部材であり、工具のグリップに取り付けられることで、該グリップのホールド感を向上させると共に、工具の使用時の手からのすっぽ抜けを防止する。
【先行技術文献】
【特許文献】
【０００３】
【特許文献１】実用新案登録第３１９５８８４号公報
【考案の概要】
【考案が解決しようとする課題】
【０００４】
用途毎に専用の工具用補助具を用いる場合、工具を持ち運んで作業等する場合に荷物の量が増えたり、管理等が煩雑になったりする。このため、近年、複数の用途に用いることができる工具用補助具が望まれている。
【０００５】
そこで、本考案は、複数の用途に使用可能な工具用補助具を提供することを課題とする。
【課題を解決するための手段】
【０００６】
本考案に係る工具用補助具は、
所定方向に延び且つ弾性変形可能な延伸部と、
前記延伸部の延伸方向の両端に配置され且つそれぞれが工具のグリップに取り外し可能に係合できる二つの係合部と、を備える。
【０００７】
かかる構成によれば、例えば、ニッパーやラジオペンチ等のような二つのグリップを有し且つこれら二つのグリップを接離させることで作業を行う工具に対し、取付状態を変えることで、複数の用途（異なる用途）で使用できる。
【０００８】
具体的には、片側（共通）のグリップに二つの係合部をそれぞれ係合させる（例えば、図５参照）ことで、延伸部とグリップとに囲まれた領域を挿通させた指で延伸部を二つのグリップが離間する方向に押すことで、二つのグリップ１１を容易に離間させる（開く）ことができる。即ち、工具用補助具は、グリップの開閉操作をサポートする用途に用いることができる。
【０００９】
また、各グリップに係合部をそれぞれ係合させる（例えば、図６参照）ことで、工具の二つのグリップを接近させる（閉じる）と、延伸部が弾性変形して曲がり（撓み）又は曲がり具合がより大きくなるため、延伸部において二つのグリップが離間する方向の付勢力（弾性復帰力）が生じ、又はより大きくなり、これにより、二つのグリップを握る力（二つのグリップが接近する方向の力）を弱めるだけで、二つのグリップを離間させることができる。即ち、工具用補助具は、二つのグリップを離間させるためのバネとしての用途に用いることができる。
【００１０】
以上のように、上記構成にかかる工具用補助具は、複数の用途に（グリップの開閉操作のサポートと、グリップを離間させるバネとして）使用可能である。
【００１１】
また、上記構成によれば、ハンマーのグリップに両方の係合部を係合させ、延伸部とグリップとに囲まれた領域に指を挿通させた状態でグリップを握ることでハンマー（グリップ）の手からのすっぽ抜けを防ぐ用途と、ニッパー等の二つのグリップを有する工具に付け替えて上記のようなバネとしての用途とに用いる等、異なる工具間で付け替えることによって、複数の用途に使用することも可能である。
【００１２】
前記工具用補助具では、
前記二つの係合部のそれぞれは、前記グリップの挿通によって該グリップに前記係合部を係合させる少なくとも一つの貫通穴を有し、
各貫通穴の貫通方向は、同じであり、
前記延伸部は、前記延伸方向と直交し且つ前記貫通方向と直交する方向に所定の幅を有すると共に、前記貫通方向に厚みを有する板状であってもよい。
【００１３】
かかる構成によれば、片側（共通）のグリップを各係合部の貫通穴に挿通して該グリップに二つの係合部を係合させ、延伸部を円弧上に湾曲させた状態で該グリップに工具用補助具を取り付けることで、延伸部が所定幅の板状であるため、地面等に対して工具の先端部と延伸部とで工具を立たせる（グリップが地面等から離れた姿勢：例えば、図７参照）ことができる。即ち、上記構成によれば、工具用補助具を、工具を立たせるためにスタンドとしての用途に用いることができる。
【００１４】
また、前記工具用補助具では、
前記二つの係合部のうちの少なくとも一方の係合部は、前記グリップの挿通によって該グリップに前記係合部を係合させる貫通穴を複数有し、
前記複数の貫通穴のそれぞれは、前記延伸部が延びる方向において異なる位置に配置されていてもよい。
【００１５】
かかる構成によれば、グリップを挿通させる貫通穴を変えることで、工具用補助具における一方の係合部におけるグリップが挿通された貫通穴から他方の係合部におけるグリップが挿通された貫通穴までの長さを変えることができ、例えば、グリップの開閉をサポートする用途に用いられるときの指を通す領域の大きさや、バネとしての用途に用いられるときの付勢力の大きさ等を変更することができる。
【００１６】
また、前記工具用補助具では、
前記延伸部は、少なくとも一つの貫通穴を有してもよい。
【００１７】
かかる構成によれば、工具用補助具の軽量化等を図ったり、弾性力の調整を行ったりすることができる。
【００１８】
また、前記工具用補助具では、
前記延伸部は、表面に、少なくとも一つの凹部及び少なくとも一つの凸部のうちの少なくとも一方を有してもよい。
【００１９】
このように、延伸部の表面に凹凸が形成されることで、引っ掛かりや摩擦等が大きくなり、延伸部に指を掛けたり把持等したりしたときの工具の落下を防いだり、弾性力の調整を行ったりすることができる。
【００２０】
本考案に係る工具用補助具は、
所定方向に延び且つ弾性変形により撓むことが可能な延伸部と、
前記延伸部の延伸方向の両端に配置され且つそれぞれが挟み動作により操作される工具の一対のグリップに取り外し可能に係合できる二つの係合部と、を備える。
【００２１】
かかる構成によれば、例えば、ニッパーやラジオペンチ等のような二つのグリップを有し且つこれら二つのグリップを接離させることで作業を行う工具（挟み動作により操作される工具）に対し、取付状態を変えることで、複数の用途（異なる用途）で使用できる。
【考案の効果】
【００２２】
以上より、本考案によれば、複数の用途に使用可能な工具用補助具を提供することができる。
【図面の簡単な説明】
【００２３】
【図１】図１は、本実施形態の係る工具用補助具の正面図である。
【図２】図２は、前記工具用補助具の側面図である。
【図３】図３は、図１のＩＩＩ−ＩＩＩ位置の断面図である。
【図４】図４は、図１のＩＶ−ＩＶ位置の断面図である。
【図５】図５は、工具の片側のグリップに二つの係合部を係合させた状態の図である。
【図６】図６は、前記工具の両側のグリップのそれぞれに係合部を係合させた状態の図である。
【図７】図７は、前記工具用補助具が前記工具を立てるためのスタンドとして使用された状態の図である。
【図８】図８は、他実施形態に係る工具用補助具の正面図である。
【図９】図９は、他実施形態に係る工具用補助具の正面図である。
【図１０】図１０は、他実施形態に係る工具用補助具の正面図である。
【図１１】図１１は、図１０のＸＩ−ＸＩ位置の断面図である。
【図１２】図１２は、他実施形態に係る工具用補助具の正面図である。
【考案を実施するための形態】
【００２４】
以下、本考案の一実施形態について、図１〜図７を参照しつつ説明する。
【００２５】
本実施形態に係る工具用補助具は、図１〜図４に示すように、所定方向に延び且つ弾性変形可能な延伸部２と、延伸部２の両端に配置され且つ工具（ニッパーやラジオペンチ等）のグリップに係合可能な二つの係合部３と、を備える。本実施形態の工具用補助具１は、ニトリルゴム、エラストマー、ナイロン等の樹脂製であり、延伸部２と二つの係合部３とは、一体成型されている。
【００２６】
延伸部２は、板状の部位であり、間隔をあけて配置された二つの係合部３のうちの一方の係合部３ａから他方の係合部３ｂまで延びている。具体的に、延伸部２は、該延伸部２の延びる方向（延伸方向：図１における左右方向）の各位置における幅（図１における上下方向の寸法）が一定の帯板状である。この延伸部２の各位置の厚さは、一定である。また、延伸部２の幅方向の端面２ａは、外側に凸となるように湾曲している（図４参照）。
【００２７】
延伸部２の延伸方向の寸法は、二つの係合部３を工具１０の片側のグリップ１１に係合させたときに（図５参照）、該グリップ１１と湾曲した延伸部２とに囲まれた領域Ａｒに作業者の指（グリップ１１を握るための指）が入る大きさで、且つ、各グリップ１１に係合部３を係合させたときに（図６参照）、グリップ１１同士の間隔と同じ又は少し長くなるように、設定されている。
【００２８】
二つの係合部３のそれぞれは、例えば、ニッパーやラジオペンチ等の工具１０のグリップ１１に取り外し可能に係合できる部位である（図５〜図７参照）。具体的に、各係合部３は、グリップ１１の挿通によって該グリップ１１に係合部３を係合させる少なくとも一つの貫通穴３１を有する。本実施形態の係合部３は、一つの貫通穴３１を有する。二つの係合部３の各貫通穴３１の貫通方向は、同じであり、延伸部２の厚さ方向（図２及び図３における上下方向）に貫通する。本実施形態の貫通穴３１は、円形の穴である。また、一方の係合部３ａの貫通穴３１の内径と、他方の係合部３ｂの貫通穴３１の内径とは、同じである。これら一方の係合部３ａの貫通穴３１と他方の係合部３ｂの貫通穴３１とは、それぞれの中心が延伸部２の中心線Ｃ上に位置するように配置されている。尚、中心線Ｃは、延伸部２の幅方向の中心を通り且つ延伸方向に延びる線である。
【００２９】
各貫通穴３１を規定する内周面３０は、直径方向の断面形状において、貫通穴３１の中心に向けて凸となるように湾曲している（図３参照）。また、貫通穴３１の貫通方向から見た係合部３の輪郭（外縁）は、貫通穴３１と同心となる円弧状であり、延伸部２の幅αより大きな外径βを有する（図４参照）。
【００３０】
以上のように構成される工具用補助具１は、例えば、図５及び図６に示すように、ニッパーやラジオペンチ等のような二つのグリップ１１を有し且つ二つのグリップ１１を接離（開閉）させることで作業を行う工具（図５及び図６に示す例では、ニッパー）１０に対し、グリップ１１への取付状態を変えることで、複数の用途（異なる用途）で使用できる。詳しくは、以下の通りである。
【００３１】
図５に示すように、工具１０の片側のグリップ１１を、一方の係合部３ａの貫通穴３１に対し、工具用補助具１の一方の面１ａ側から他方の面１ｂ側に挿通させ、且つ、他方の係合部３ｂの貫通穴３１に対し、他方の面１ｂ側から一方の面１ａ側に挿通させる。このとき、延伸部２が円弧状に湾曲し、該延伸部２と二つの係合部３が係合しているグリップ１１とに囲まれた領域Ａｒに工具１０のグリップ１１を握るための指が挿通できるように、二つの係合部３ａ、３ｂの間隔が調整される。このように工具用補助具１が取り付けられた状態で、工具１０の二つのグリップ１１を離間させる（開らく）ときに、領域Ａｒを挿通させた指で延伸部２を二つのグリップ１１が離間する方向に押すことで、二つのグリップ１１を容易に離間させる（開く）ことができる。即ち、工具用補助具１は、グリップ１１の開閉操作をサポートする用途に用いることができる。
【００３２】
また、このグリップ１１と延伸部２とに囲まれた領域Ａｒに指を通して延伸部２を引っ掛ける等して工具１０を保持することもできる。即ち、工具用補助具１は、工具１０の保持を容易にする用途にも用いることができる。
【００３３】
さらに、片側のグリップ１１に二つの係合部３が係合した状態では、延伸部２が所定の幅を有する板状（本実施形態の例では帯板状）であるため、図７に示すように、工具１０の先端（刃部）１２を地面Ｇ等に当接させると共に、工具用補助具１が係合するグリップ１１を下側にして延伸部２が地面Ｇ等に当接し且つ二つのグリップ１１が上下に並ぶ姿勢（即ち、立てた姿勢）で、工具１０を地面Ｇ等に置くことができる。これにより、両グリップ１１が地面Ｇ等に接するように置かれた場合に比べ、両グリップ１１が地面Ｇ等から離れた状態となっているため、工具１０を手に取り易くなる。即ち、工具用補助具１は、工具１０を立てた姿勢で地面Ｇ等に置くためのスタンドとしての用途に用いることもできる。
【００３４】
また、図６に示すように、一方の係合部３ａの貫通穴３１に対し、工具１０の一方のグリップ１１を工具用補助具１の一方の面１ａ側から他方の面１ｂ側に挿通させ、他方の係合部３ｂの貫通穴３１に対し、工具１０の他方のグリップ１１を工具用補助具１の一方の面１ａ側から他方の面１ｂ側に挿通させる。このとき、延伸部２は、一方のグリップ１１から他方のグリップ１１に向かう方向に沿って延びた状態又は曲がった状態で、二つのグリップ１１の間に位置する。このように工具用補助具１が取り付けられた状態で、工具１０の二つのグリップ１１を接近させる（閉じる）と、延伸部２が弾性変形して曲がり又は曲がり具合がより大きくなるため、延伸部２において二つのグリップ１１が離間する方向の付勢力（弾性復帰力）が生じ、又はより大きくなり、これにより、二つのグリップ１１を握る力（二つのグリップ１１が接近する方向の力）を弱めるだけで、二つのグリップ１１を離間させることができる。即ち、工具用補助具は、二つのグリップ１１を離間させるためのバネとしての用途に用いることができる。
【００３５】
尚、本考案の工具用補助具は、上記実施形態に限定されるものではなく、本考案の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００３６】
工具用補助具１における延伸部２の具体的な形状は、限定されない。上記実施形態の延伸部２では、係合部３より幅方向の寸法が小さい帯板状であるが、例えば、図８に示すように、幅方向の寸法が係合部３と同じでもよく、図９に示すように、幅方向の寸法が係合部３より大きくてもよい。また、延伸部２の延伸方向の各位置又は一部において、幅方向の寸法が変化していてもよい。
【００３７】
また、延伸部２は、貫通穴２１を有していてもよい。この延伸部２の貫通穴２１の形状や数は、限定されない。このように、延伸部２が貫通穴を有することで、工具用補助具１の軽量化を図ることができる。また、延伸部２が弾性変形する際（湾曲等させられるとき）の弾性力を調整することができる。
【００３８】
また、延伸部２は、表面に、少なくとも一つの凹部又は少なくとも一つの凸部のうちの少なくとも一方を有していてもよい。図１０及び図１１に示す例では、延伸部２は、一方の面１ａと他方の面１ｂとのそれぞれに一つの凹部２２を有する。また、凹部及び凸部の具体的な形状も限定されない。このように、延伸部２の表面に凹凸が形成されることで、引っ掛かりや摩擦等が大きくなり、延伸部２に指を掛けたり把持等したりしたときの工具１０の落下を防ぐことができる。また、延伸部２が弾性変形する際（湾曲等させられるとき）の弾性力を調整することができる。
【００３９】
また、上記実施形態の延伸部２は、板状（詳しくは、帯板状）であるが、円柱状等の他の形状であってもよい。
【００４０】
また、上記実施形態の工具用補助具１において、二つの係合部３ａ、３ｂは、それぞれ一つの貫通穴３１を有し、各貫通穴３１が同じ直径の円形穴であるが、この構成に限定されない。
【００４１】
例えば、一方の係合部３が、複数の貫通穴３１を有していてもよい。また、図１２に示すように、二つの係合部３ａ、３ｂのそれぞれが、複数の貫通穴３１を有していてもよい。これらの場合、複数の貫通穴３１のそれぞれは、延伸方向において異なる位置に配置されている。かかる構成によれば、グリップ１１を挿通させる貫通穴３１を変えることで、工具用補助具１における一方の係合部３ａにおけるグリップ１１が挿通された貫通穴３１から他方の係合部３ｂにおけるグリップ１１が挿通された貫通穴３１までの長さを変えることができ、例えば、グリップ１１の開閉をサポートする用途に用いられるときの指を通す領域の大きさや、バネとしての用途に用いられるときの付勢力の大きさ等を変更することができる。
【００４２】
また、貫通穴３１は、円形穴に限定されず、長穴や多角形の穴等の他の形状の穴であってもよい。また、一方の係合部３ａと他方の係合部３ｂとの貫通穴３１の大きさや数が異なっていてもよい。また、係合部３が複数の貫通穴３１を有する場合、同じ係合部３に配置される各貫通穴３１の形状や大きさが異なっていてもよい。
【００４３】
また、上記実施形態の係合部３は、貫通穴３１に工具１０のグリップ１１を挿通させることで該グリップ１１に係合するが、この構成に限定されない。係合部３は、工具１０のグリップ１１に取り外し可能に係合できる構成であれば、限定されない。
【００４４】
また、工具用補助具１が取り付けられる工具は、限定されない。例えば、ハンマーのようなグリップが一つしかない工具に取り付けられてもよい。上記実施形態の工具用補助具１は、一つの工具（ニッパーやラジオペンチ）に対して取付状態を変えることで異なる用途（複数の用途）に用いられているが、複数の工具間（ニッパーとハンマー等）で付け替えることで異なる用途（例えば、ハンマー（グリップ）の手からのすっぽ抜け防止用途やスタンドとしての用途と、バネとしての用途等）に用いられてもよい。
【００４５】
また、一つの工具に対し、工具用補助具１が複数（二つ以上）取り付けられてもよい。例えば、ニッパーの各グリップ１１に対し、開閉操作をサポートする用途で工具用補助具１がそれぞれに取り付けられてもよい。この場合、一つの工具に対して取り付けられる工具用補助具１の数は、二つである。また、ニッパーの二つのグリップ１１のうちの少なくとも一方に対し、開閉をサポートする用途で工具用補助具１が取り付けられると共に、各グリップ１１に跨るようにバネとしての用途で工具用補助具１が取り付けられてもよい。この場合、一つの工具に対して取り付けられる工具用補助具１の数は、二つ又は三つである。
【符号の説明】
【００４６】
１…工具用補助具、１ａ…一方の面、１ｂ…他方の面、２…延伸部、２ａ…延伸部の端面、２１…貫通穴、２２…凹部、３、３ａ、３ｂ…係合部、３０…内周面、３１…貫通穴、１０…工具、１１…グリップ、Ａｒ…グリップと延伸部とに囲まれた領域、Ｃ…中心線、Ｇ…地面、α…延伸部の幅、β…係合部の外径
【図１】
0003231168.tif 000003
【図２】
0003231168.tif 000004
【図３】
0003231168.tif 000005
【図４】
0003231168.tif 000006
【図５】
0003231168.tif 000007
【図６】
0003231168.tif 000008
【図７】
0003231168.tif 000009
【図８】
0003231168.tif 000010
【図９】
0003231168.tif 000011
【図１０】
0003231168.tif 000012
【図１１】
0003231168.tif 000013
【図１２】
0003231168.tif 000014